(57)【要約】      （修正有）【課題】ビデオカメラのバッテリを小型化した場合の取り付け部を小型化可能としつつ、元の大型なバッテリも取り付け可能とする。【解決手段】バッテリを有する撮像装置であって、前記バッテリは、前記撮像装置に取り付けを行う取り付け部と、回路基板、電池セル、接続コネクタ、外装カバーからなり、前記取り付け部を前面とし、取り付け部の後面に前記回路基板、前記回路基板の後面に前記電池セルを配置し、前記取り付け部から見た時の上面部に前記接続コネクタが配置され、前記バッテリを取り付け部側から見た時の投影面積に対して、前記取り付け部に設けられた取り付け機構は少ない面積で構成され、前記取り付け機構の内部に前記回路基板を有し、前記取り付け機構の上面端に前記接続コネクタを有する時、前記取り付け部側から見た前記バッテリの最大幅の中心よりも、前記取り付け機構の中心は、前記取り付け部から見て左側に偏っている。【選択図】図１６
2013106180.tif 000002
【特許請求の範囲】
【請求項１】
バッテリを有する撮像装置であって、
前記バッテリは、前記撮像装置に取り付けを行う取り付け部と、回路基板、電池セル、接続コネクタ、外装カバーからなり、
前記取り付け部を前面とし、取り付け部の後面に前記回路基板、前記回路基板の後面に前記電池セルを配置し、
前記取り付け部から見た時の上面部に前記接続コネクタが配置され、
前記バッテリを取り付け部側から見た時の投影面積に対して、前記取り付け部に設けられた取り付け機構は少ない面積で構成され、
前記取り付け機構の内部に前記回路基板を持ち、前記取り付け機構の上面端に前記接続コネクタを持つ時、
前記取り付け部側から見た前記バッテリの最大幅の中心よりも、前記取り付け機構の中心は、前記取り付け部から見て左側に偏っていることを特徴とする撮像装置。
【請求項２】
前記取り付け部側から見た前記バッテリの投影面対して、前記取り付け機構は上面側に偏っていることを特徴とする請求項１に記載の撮像装置。
【発明の詳細な説明】
【技術分野】
【０００１】
本発明は、デジタルビデオカメラ等の、バッテリを有する撮像装置に関するものである。
【背景技術】
【０００２】
従来からビデオカメラのバッテリは、ビデオカメラの後面に設けられたバッテリ取り付け部に取り付けられ、前記バッテリにはビデオカメラの取り付け部と係合する係合部が設けられていて、着脱可能に構成されていた（特許文献１参照）。
【先行技術文献】
【特許文献】
【０００３】
【特許文献１】特開平１１−２７５３９８号公報
【発明の概要】
【発明が解決しようとする課題】
【０００４】
しかしながら、上述のバッテリに設けられた係合部は、バッテリの外形の中心に配置されているため、バッテリ外形が小さくなっても、取り付けられるビデオカメラのバッテリ取り付け部は小型化できないという問題があった。また、取り付け部を小型化すると、元々の大型なバッテリが取り付けないという問題があった。
【０００５】
本発明はこのような事情に鑑みなされたものであり、その目的は、バッテリの取り付け部を小型化にしつつ、大型なバッテリの取り付けにも対応する上で有利な撮像装置を提供することにある。
【課題を解決するための手段】
【０００６】
本発明のバッテリを有する撮像装置は、
前記撮像装置に取り付けを行う取り付け部と、回路基板、電池セル、接続コネクタ、外装カバーからなり、
前記取り付け部を前面とし、取り付け部の後面に前記回路基板、前記回路基板の後面に前記電池セルを配置し、
前記取り付け部から見た時の上面部に前記接続コネクタが配置され、
前記バッテリを取り付け部側から見た時の投影面積に対して、前記取り付け部に設けられた取り付け機構は少ない面積で構成され、
前記取り付け機構の内部に前記回路基板を有し、前記取り付け機構の上面端に前記接続コネクタを有する時、
前記取り付け部側から見た前記バッテリの最大幅の中心よりも、前記取り付け機構の中心は、前記取り付け部から見て左側に偏っていることを特徴とする。
【０００７】
また、前記取り付け部側から見た前記バッテリの投影面対して、前記取り付け機構は上面側に偏っていることを特徴とする。
【発明の効果】
【０００８】
以上説明したように、本発明における撮像装置は、バッテリの取り付け部を小型化にしつつ、大型なバッテリの取り付けにも対応する上で有利な撮像装置を提供することが可能である。
【図面の簡単な説明】
【０００９】
【図１（ａ）】本実施例におけるデジタルビデオカメラ１０１の外観斜視図（その１）
【図１（ｂ）】本実施例におけるデジタルビデオカメラ１０１の外観斜視図（その２）
【図１（ｃ）】本実施例におけるデジタルビデオカメラ１０１の外観斜視図（その３）
【図１（ｄ）】本実施例におけるデジタルビデオカメラ１０１の外観斜視図（その４）
【図１（ｅ）】本実施例におけるデジタルビデオカメラ１０１の表示部１０３の開閉及び回転を行うためのヒンジ部１１４を露出させた状態の外観斜視図
【図２】デジタルビデオカメラ１０１のシステム図
【図３】（ａ）と（ｂ）は撮像レンズ鏡筒１０９を表す図
【図４】（ａ）は図３（ａ）のＡ−Ａ断面図、（ｂ）は図３（ｂ）のＢ−Ｂ断面図
【図５】（ａ）と（ｂ）は撮像素子２０１を表す図、（ｃ）は撮像素子２０１の断面図、（ｄ）と（ｅ）はセンサー貼り付け板４０６を表す図
【図６】（ａ）と（ｂ）と（ｃ）は撮像素子２０１とセンサー貼り付け板４０６の貼り付け状態を表す図、（ｄ）と（ｅ）は撮像素子２０１をセンサー貼り付け板４０６に貼り付けて撮像レンズ鏡筒１０９に取り付けた状態を表す図、（ｆ）はセンサー貼り付け面５０６とビス穴当接面５０７の関係を表す図
【図７】（ａ）と（ｂ）と（ｃ）と（ｄ）と（ｅ）はそれぞれセンサー基板２０２周辺の外観図
【図８】（ａ）と（ｂ）は弾性導電放熱部材７０７の模式図
【図９】（ａ）は右側面板金部材９０１の外観斜視図、（ｂ）は左側面板金部材９０９の外観斜視図
【図１０】（ａ）と（ｂ）レンズ受け弾性部材の外観図
【図１１】（ａ）は右側面板金部材９０１にレンズ受け弾性部材１００１を装着した状態の外観斜視図、（ｂ）は右側面板金部材９０９にレンズ受け弾性部材１００１を装着した状態の外観斜視図、（ｃ）は右側面板金部材９０１の上面図、（ｄ）はカード基板１１０１取り付け状態の斜視図、（ｅ）はカード基板１１０１の取り付けを行う途上の斜視図、（ｆ）はカード基板１１０１取り付け状態の上面図
【図１２】（ａ）は右側面板金部材９０１と左側面板金部材９０９とカメラユニットとを接続した状態の上面側斜視図、（ｂ）は右側面板金部材９０１と左側面板金部材９０９とカメラユニットとを接続した状態の下面側斜視図
【図１３】（ａ）はメイン基板２０４、三脚ねじ部材１３０１、三脚ねじ補強板金部材１３０２の展開斜視図、（ｂ）と（ｃ）はメイン基板２０４、三脚ねじ部材１３０１、三脚ねじ補強板金部材１３０２のユニット状態斜視図、（ｄ）は端子基板１３０９及びメモリユニット基板１３１０接続状態斜視図
【図１４】（ａ）は図１２のユニットに図１３（ｄ）のユニットとカード基板１１０１を接続した図、（ｂ）は図１４（ａ）の状態におけるセンサー基板２０２、メイン基板２０４、カード基板１１０１の位置関係を示す斜視図、（ｃ）は図１４（ａ）の状態の上面図及びＢｔｏＢ７０２の位置関係を示す図、（ｄ）は図１４（ａ）の状態におけるカメラユニットとカード基板１１０１、メイン基板２０４の位置関係を示す上面図、（ｅ）は図１４（ａ）の状態に、操作部ユニット１４０３を接続した状態の斜視図
【図１５】（ａ）は図１４（ｅ）の状態に右側面カバー１０４及び表示部１０３を接続した状態の斜視図、（ｂ）はデジタルビデオカメラ１０１の底面視図のバッテリ周辺部、（ｃ）は図１５（ａ）の状態の後面視図
【図１６】（ａ）はバッテリ２１３の斜視図、（ｂ）バッテリ２１３の取り付け面視図、（ｃ）は図１６（ｂ）のＣ−Ｃ断面図、（ｄ）と（ｅ）は本実施例のデジタルビデオカメラ１０１よりもバッテリ取り付け部の小さいデジタルビデオカメラ１６１３にバッテリ２１３を取り付けた際の模式図
【図１７】（ａ）は図１５（ａ）の状態の右側面視図、（ｂ）は図１７（ａ）のＤ−Ｄ断面図、（ｃ）は図１７（ａ）の状態で表示部１０３を閉じた状態での上面視での断面図、（ｄ）は図１７（ａ）の状態で表示部１０３を除いた状態の外観斜視図
【図１８】図１５（ａ）の状態に前面カバー１０６を取り付けた状態
【図１９】（ａ）は全てのカバーを取り付けた状態の左側面図、（ｂ）は図１９（ａ）から左側面カバー１０７を外した状態の斜視図
【発明を実施するための形態】
【００１０】
図１（ａ）（ｂ）（ｃ）（ｄ）に本実施例におけるデジタルビデオカメラ１０１の外観斜視図を示す。
図１（ａ）座標軸に示すｘ軸が本体の左右方向を示し、本体の紙面手前側を右側面、紙面奥側を左側面と定義する。
【００１１】
図１（ａ）座標軸に示すｚ軸が本体の前後方向を示し、本体の紙面手前側を前面、紙面奥側を後面と定義する。また、このｚ軸方向はデジタルビデオカメラ１０１の撮像光軸方向に相当する。撮像光軸の中心は１１３として図示するとともに、以降の説明において文中及び図中で用いる撮像光軸中心１１３はすべてこの軸を意味する。
【００１２】
図１（ａ）座標軸に示すｙ軸が本体の上下方向を示し、本体の紙面上側を上面、紙面下側を下面と定義する。
【００１３】
以降の説明において文中及び図中で用いる座標軸は上述の座標軸を表し、上下左右前後の表現も上述に従うものとする。
【００１４】
デジタルカメラ１０１は本体部１０２と表示部１０３からなる。
【００１５】
本体部１０２は右側面カバー１０４上面カバー１０５前面カバー１０６左側面カバー１０７からなる。
【００１６】
右側面カバー１０４は右側面及び後面のバッテリ取り付け部１０８を備える。
【００１７】
右側面カバー１０４には表示部１０３が開閉及び回転を行う２軸のヒンジ部１１４を介して接続されている。また、表示部１０３は入力手段としてタッチパネルをもつ。
【００１８】
図１（ｅ）に表示部１０３の開閉及び回転を行うためのヒンジ部１１４を露出させた状態の外観斜視図を示す。表示部１０３は一般的なビデオカメラに用いられるもので、図１（ｄ）に示すような右側面カバー１０４に沿う形の表示部収納状態と、開閉軸１１５を中心とした回転動作で図１（ａ）（ｂ）（ｃ）に示すような９０度開いた状態にすることができる。また、表示部１０３の上下方向の回転軸１１６を中心に回転動作可能に接続されることで、被写体側との対面撮影などを行うことができる。上述の開閉及び回転動作させるための構造を以下に記す。
【００１９】
ヒンジ部１１４は表示部１０３の開閉を行う開閉軸１１５と表示部１０３の回転を行う回転軸１１６を中心に回転可能な構造を備えており、表示部取り付け板金部材１１７に表示部１０３を取り付ける。また、ヒンジ部１１４はヒンジカバー１１８を備え、外観を形成するとともに、内部の配線を表出させない役割を持つ。
【００２０】
前面カバー１０６に設けられた開口部の中に撮像レンズ鏡筒１０９を備える。
【００２１】
右側面カバー１０４の表示部収納面に記録媒体としてのメモリーカード取り出し口１１０を備える。
【００２２】
右側面カバー１０４の表示部収納面に外部入出力端子開口部１１１を備える。
【００２３】
左側面カバー１０７の本体後ろ寄りの下方に電源入力端子１１２を備える。
【００２４】
図２にデジタルビデオカメラ１０１のシステム図を示す。
【００２５】
撮像レンズ鏡筒１０９から入射した被写体情報を撮像素子２０１で光電変換し、撮像素子２０１を実装したセンサー基板２０２上に配置されたＡＤ変換素子２０３でデジタル信号に変換され、メイン基板２０４上のカメラ情報処理ＩＣ２０５で画像情報として処理した後に、ビデオ信号処理ＩＣ２０６でビデオ信号化される。ビデオ信号化された情報は、画像として表示部１０３で表示されるとともに、記録部２０７で所定の形式のファイルとして記録される。記録部２０７は取り出し可能な外部メモリーカード２０８および、内蔵した取り外しできない内蔵メモリー２０９などで構成されている。また、撮影、再生、種々の設定等は操作部２１０によって操作可能である。また、ビデオ信号化された情報は、映像音声信号やファイルとして外部入出力端子２１１から入出力を行うことができる。
【００２６】
また、メイン基板２０４上の電源回路２１２には電源入力端子１１２が接続されるとともに、着脱可能なバッテリ２１３が接続されている。電源回路２１２からはメイン基板２０４を通してデジタルビデオカメラ１０１全体に電源を供給している。
【００２７】
図３（ａ）（ｂ）に撮像レンズ鏡筒１０９を示す。
【００２８】
図４（ａ）に図３（ａ）のＡ−Ａ断面図を示す。
【００２９】
図４（ｂ）に図３（ｂ）のＢ−Ｂ断面図を示す。
【００３０】
本実施例のデジタルビデオカメラ１０１に搭載されている撮像レンズ鏡筒１０９は一般的なビデオカメラに用いられるインナーフォーカス方式のレンズ鏡筒で、最も被写体面に近い側の前玉及び撮像素子の距離は固定され、内部のバリエータ及びアフォーカルが可動となることでズーム及び合焦を行う方式である。
【００３１】
そのためレンズ鏡筒は被写体側から前玉４０１、バリエータ４０２、防振部４０３、アフォーカル４０４の４つの群からなるガラスレンズ群を有している。
【００３２】
前玉４０１は前玉固定鏡筒３０１に溶着によって固定され、バリエータ４０２は第２鏡筒部材３０２内で可動に配置され、その光軸後方には絞りユニット４０５が配置され、その後方に防振部４０３が防振アクチュエータ上で第２鏡筒３０２と第３鏡筒３０３の間に挟まれて配置され、第３鏡筒部材３０３の内部でアフォーカル４０４が可動に配置されるとともに、第３鏡筒部材３０３には撮像素子２０１を貼り付けたセンサー貼り付け板４０６が取り付く。
【００３３】
前玉４０１は図のように光軸の後方に行くほど直径が小さい。そして、前玉固定鏡筒３０１の外面で本体の右側面側に位置する側には図に示すような切り欠き４０７を有している。この切り欠き４０７はｙ軸に平行な軸を中心とする円弧状に切り欠かれている。
【００３４】
また、第２鏡筒部材３０２には前玉固定鏡筒３０１に設けられた円弧状の切り欠き４０７に接する光軸と平行な面で側面が形成され、この側面の内側には反射防止の遮光形状４０８が施されている。この側面を光軸に近付けることによって、後述のように本体を小型に見せることができるが、撮像レンズ鏡筒１０９内面での不要光の反射によって起きるフレアやゴーストは側面を光軸に近付けることによって逆に起きやすくなってしまう。そのため、遮光処理として内側の面に図のような波線上の遮光形状４０８を設けることによって、反射光を遮断し、フレアやゴーストを低減することができる。
【００３５】
絞り部４０５及び防振部４０３は一般的なデジタルビデオカメラに用いられるもので、本発明の本質にかかわりが少ないため説明を省略する。
【００３６】
第３鏡筒部材３０３は光軸前方をアフォーカル４０４の移動領域、後方を撮像素子２０１取り付け部で構成されている。撮像素子２０１取り付け部は図のように赤外吸収ガラス４０９の収納部４１０及び撮像素子収納部４１１、センサー貼り付け板取り付け部４１２からなる。
【００３７】
図５（ａ）（ｂ）に撮像素子２０１を示す。
【００３８】
図５（ｃ）に撮像素子２０１の断面図を示す。
【００３９】
図５（ｄ）（ｅ）にセンサー貼り付け板４０６を示す。
【００４０】
撮像素子２０１は保護ガラス５０１及びベース部材５０２、リード５０３、チップ５０４からなる。
【００４１】
ベース部材５０２にはチップ５０４が配置され、そのチップ５０４の裏面側にはセンサー貼り付け板４０６との貼り付け面５０５があり、チップ５０４との距離が精度良く保たれるように構成されている。
【００４２】
センサー貼り付け板４０６はセンサー貼り付け面５０６と、光軸後方側に絞り加工で段差をなすビス穴当接面５０７からなる。
【００４３】
センサー貼り付け板４０６には接着剤塗布穴５０８及び、変形防止穴５０９がある。前記段差を形成するために、センサー貼り付け板４０６には段差接続部５１０が４ヶ所形成される。また、位置決め穴５１１及び回転止め５１２、ビス穴５１３を備える。これらの用途は図６を用いて後述する。
【００４４】
図６（ａ）（ｂ）（ｃ）には撮像素子２０１とセンサー貼り付け板４０６の貼り付け状態を示す。
【００４５】
図６（ｄ）（ｅ）に撮像素子２０１をセンサー貼り付け板４０６に貼り付けて撮像レンズ鏡筒１０９に取り付けた状態を示す。
【００４６】
センサー貼り付け板４０６は撮像素子２０１を所定精度で撮像レンズ鏡筒１０９に位置決め固定する部材である。センサー貼り付け板４０６の位置決め穴５１１を基準に、撮像素子２０１の撮像範囲を位置合わせして、撮像素子２０１の貼り付け面５０５とセンサー貼り付け板４０６のセンサー貼り付け面５０６を接着剤で貼り付ける。接着剤は接着剤塗布穴部５０８に塗布して接着を行う。そして、位置決め穴５１１及び回転止め穴５１２を撮像レンズ鏡筒１０９に設けられた位置決めボス６０１及び回転止めボス６０２に挿通して、セルフタップビス６０３を介して取り付けを行う。撮像レンズ鏡筒１０９の光軸原点と撮像面の光軸方向の位置精度はセンサー貼り付け面５０６と、レンズ鏡筒１０９の第３鏡筒部材３０３のセンサー貼り付け板取り付け部４１２に設けられたセンサー貼り付け板当接面６０４を当接することによって行う。センサー貼り付け面５０６とビス穴当接面５０７は前述ように段差を備えている。
【００４７】
しかし、センサー貼り付け面５０６とビス穴当接面５０７が両方とも初期状態で撮像レンズ鏡筒１０９と接触することは、部品の量産加工精度上困難である。そして、ビス穴当接面５０７のみが撮像レンズ鏡筒１０９と接触してしまう寸法関係だと、センサー貼り付け板当接面６０４とセンサー貼り付け板４０６のセンサー貼り付け面５０６に隙間が生じてしまい、撮像レンズ鏡筒１０９の光軸原点と撮像素子２０１のチップ５０４の光軸方向の距離関係に狂いが生じてしまう。必ずセンサー貼り付け板当接面６０４とセンサー貼り付け板４０６のセンサー貼り付け面５０６が当接するためにはビス穴当接面５０７と撮像レンズ鏡筒１０９のビス穴面６０５で隙間６０６が生じるもしくは隙間６０６がゼロで接触するような寸法公差関係に構成する。
【００４８】
このような寸法関係のセンサー貼り付け板４０６を撮像レンズ鏡筒１０９の第３鏡筒部材３０３に取り付けると、センサー貼り付け板４０６のビス穴当接面５０７が変形する。その変形が接着剤塗布穴部５０８に及ぶと、接着強度が著しく下がり、最悪の場合剥離してしまうという問題がある。
【００４９】
そこで前述したように、センサー貼り付け板４０６には変形防止穴５０９を図のように設けることで、段差接続部５１０を接着剤塗布穴５０８の距離を離すことが可能である。接着材塗布穴５０８は段差接続部５１０に近い側５１４のほうが、遠い側５１５よりも大きな円弧形状をとることによって、接着剤塗布面積を確保しつつ段差接続部５１０の変形を接着剤塗布穴５０８に伝えない構成にすることが可能である。つまり、図６（ｃ）に示す通り、撮像素子２０１を貼り付けた状態において、段差接続部５１０に近い側５１４と撮像素子２０１の中心の距離６０８の方が、遠い側５１５と撮像素子２０１の中心との距離６０９よりも短いことになる。
【００５０】
さらに段差接続部５１０を、ビス穴５１３に対して本体ｘ軸及びｙ軸方向に形成することが可能なように変形防止穴５０９は構成されている。そして、段差接続部５１０はビス穴５１０の中心よりも撮像光軸中心１１３からｘ軸及びｙ軸に沿った距離が遠い場所に形成することが可能なように変形防止穴５０９は構成されている。段差接続部５１０が直交する２方向に構成されることによって、段差接続部５１０がｘ軸回り及びｙ軸回りに回転変形する要素を抑制し合い、ビス穴５１３に挿通されたセルフタップビス６０３によってビス穴当接面５０７がビス穴面６０５に対して変形する際、ビス穴当接面５０７は光軸に沿って平行移動しやすくすることが可能である。
【００５１】
図７（ａ）（ｂ）（ｃ）（ｄ）（ｅ）にはセンサー基板２０２周辺の外観図を示す。
【００５２】
撮像素子２０１はセンサー貼り付け板４０６に貼り付けられた状態でセンサー基板２０２に実装されている。センサー基板２０２には撮像素子２０１の光電変換された信号をデジタル信号に変換するＡＤ変換ＩＣ２０３及び周辺回路が実装され、ＡＤ変換ＩＣ２０３は撮像素子２０１と反対面側に実装されている。センサー基板２０２でＡＤ変換された映像信号はＢｔｏＢ実装部７０１に実装されたＢｔｏＢ７０２を介して、図７（ｃ）のようにメイン基板２０４に接続される。メイン基板２０４のレイアウトに関しては後述する。
【００５３】
そして、センサー基板２０１にはセンサー放熱板７０３がビス留めされている。センサー放熱板７０３はセンサー基板２０２と平行な主面７０４と、右側面及び左側面に伸びた放熱腕部７０５及び７０６を有している。主面７０４のＡＤ変換ＩＣ２０３と対向する個所に絞り７０８を付加することで、センサー放熱板４０６をＡＤ変換ＩＣ２０３に近付けることが可能になっている。このように構成することによって、ＡＤ変換ＩＣ２０３の放熱を効率よく行うことが可能である。
【００５４】
ここまで説明した撮像レンズ鏡筒１０９からセンサー放熱板７０３までの一体的な構造を一つのカメラユニットと称し、後述するようにカメラユニットとその他の構造部材は弾性部材を用いた接続がなされることで、弾性的に接続されている。
【００５５】
撮像素子２０１はＣＭＯＳやＣＣＤを使用しているため、素子自体が発する熱によってノイズ等が増え、画質が低下するという問題がある。また、センサー基板２０２上の回路も発熱して撮像素子２０１に熱を供給するため、撮像素子２０１及びセンサー基板２０２周辺の熱を放熱する必要がある。前述のセンサー放熱板７０３だけでは放熱が不十分であることが多く、熱を他の構造部材に放熱する必要がある。
【００５６】
前述の通り、カメラユニットは構造部材に対して弾性的に接続されているため、放熱も弾性を損なわないような方法で行う必要がある。
【００５７】
また、センサー基板２０２が発する電気ノイズを低減するためには、メイン基板２０４とのＢｔｏＢ接続部７０１での接続だけでは不十分で、構造部材にセンサー基板２０２のグランド配線を導通させる必要がある場合が多い。
【００５８】
この導電に関しても前述の放熱と同様に弾性的な接続状態を損なわないように行う必要がある。
【００５９】
そこで、センサー放熱板７０３の放熱腕部７０５及び７０６に図７（ｅ）のような弾性導電放熱部材７０７を取り付けることによって、カメラユニットの周辺にある構造部材と弾性的に導電及び放熱を行うことができる。
【００６０】
図８（ａ）（ｂ）に弾性導電放熱部材７０７の模式図を示す。
【００６１】
弾性導電放熱部材７０７は０．０５ｍｍから０．３ｍｍ程度のプラスチックシート８０１に０．０５ｍｍから０．５ｍｍ程度の銅箔等の金属箔８０２を貼り付けたシートを、図に示す通り金属箔８０２面が外側を向くように折り曲げ、内側に両面テープ８０３を貼り付けた弾性部材８０４を図に示す通り挟んだ部材である。両面テープ８０３は、金属箔８０２及びプラスチックシート８０１に対して、両面テープ８０３が一部露出されるように貼り付けられ、この露出個所を用いてセンサー放熱板７０３に貼り付けを行う。
【００６２】
金属箔８０２は銅箔やアルミ箔のような高熱伝導性及び低導電抵抗の金属を用いる。間に挟む弾性部材８０４は発泡ウレタンやスポンジなどの弾性材を用いる。図８（ｂ）に示す通り、この弾性導電放熱部材７０７はセンサー放熱板７０３とは両面テープ８０３で貼りつくとともに、金属箔８０２部分が接触している。そして、センサー放熱板７０３の放熱腕部７０５及び７０６と対向する面の構造部材８０５にも金属箔８０２部分が対向し、間に挟まれた弾性部材８０４によって構造部材８０５に付勢されることで導電及び放熱を行うことが可能である。また、弾性導電放熱部材７０７は図のように略Ｕ字形状を有しており、図のようにＵ字における接続されている側８０６が熱源である撮像素子２０１やセンサー基板２０２と近いセンサー放熱板７０３の主面７０４側になるように貼り付けることで、放熱効果を高めることが可能である。また、金属箔８０２の支持材としてプラスチックシート８０１を用いることによって、金属箔８０２の塑性変形を防止し、間に挟まれた弾性部材８０４の反発力を妨げないように構成されている。このように構成することによって、弾性的に導電かつ放熱を１つの部材で行うことが可能で、放熱ゴムやガスケットを併用せず、安価かつ省スペースに実現することが可能である。
【００６３】
本実施例では１枚の両面テープで構成する最も単純な形態を示したが、実施可能な形態はこの限りではない。弾性部材８０４を挟んで２枚の両面テープを用いたり、１枚の長い両面テープで弾性部材８０４を包むなどしてもよい。
【００６４】
次にカメラユニットを本体に接続するための構造部材について説明する。
【００６５】
図９（ａ）に右側面板金部材９０１の外観斜視図を示す。なお図中に示す座標軸は図１のものに相当する。
【００６６】
まず、カメラユニットの本体右側面側に位置する右側面板金部材９０１について説明する。
【００６７】
材料は熱伝導性の高い部材を用い、例えばアルミ合金や銅合金などを用いる。
【００６８】
右側面板金部材９０１は図示の通り前面から見たときに略コの字形状を有し、主たる面９０２を本体右側面に形成するとともに、上面側には前後に２か所の上面部９０３及び９０４が形成され、下面側に下面部９０５を形成している。
【００６９】
後ろ側の上面部９０３から、所定角度を有した曲げ部９０６を形成するとともに、下面部９０５には前記所定角度と同じ角度で設けられた引っかけスリット９０７を形成している。このスリット９０７の用途は後述する。
【００７０】
右側面板金部材の主たる面９０２には２か所の穴部９０８が形成され、この穴部９０８には後述のレンズ受け弾性部材を配置する。
【００７１】
次に、カメラユニットの本体左側面側に位置する左側面板金部材について説明する。
【００７２】
図９（ｂ）に左側面板金部材９０９の外観斜視図を示す。なお図中にしめす座標軸は図１のものに相当する。
【００７３】
右側面板金部材９０１と同様に、材料は熱伝導性の高い部材を用い、例えばアルミ合金や銅合金などを用いる。
【００７４】
左側面板金部材９０９は図示の通り前面から見たときに略逆コの字形状を有し、主たる面９１０を本体左側面に形成するとともに、上面側には前後に２か所の上面部９１１及び９１２が形成され、下面側に下面部９１３を形成している。
【００７５】
下面部９１３には右側面部材のスリット９０７と同一角度の引っかけスリット９１４を形成している。このスリット９１４の用途は後述する。
【００７６】
右側面板金部材の主たる面９１０には１か所の穴部９１５が形成され、この穴部９１５には後述のレンズ受け弾性部材を配置する。
【００７７】
図１０（ａ）（ｂ）はレンズ受け弾性部材の外観図を示し、（ａ）は側面図、（ｂ）は斜視図である。
【００７８】
レンズ受け弾性部材は図に示す通り、大小中の同心円の円柱１００２、１００３、１００４が組み合わさり、その中心に穴１００５が貫通した形状をしている。また、最外形の外周及び穴１００５の端部１００６には呼び込みのＣ面が付加してある。
【００７９】
図１１（ａ）には右側面板金部材９０１にレンズ受け弾性部材１００１を装着した状態の外観斜視図を示す。
【００８０】
図１１（ｂ）には右側面板金部材９０９にレンズ受け弾性部材１００１を装着した状態の外観斜視図を示す。
【００８１】
撮像レンズ鏡筒１０９側に接触面の大きな円柱部１００２を配するように右側面板金部材９０１に設けられた穴部９０８に挿通し、小円柱部１００３が右側面板金部材９０１に当たり、円柱１００２と円柱１００４の間に右側面板金部材９０１が挟まれるように構成される。
【００８２】
左側面板金部材側９０９も同様に、撮像レンズ鏡筒１０９側に接触面の大きな円柱部１００２を配するように左側面板金部材９０９に設けられた穴部９１５に挿通し、小円柱部１００３が右側面板金部材９０９に当たるように構成されている。
【００８３】
図１１（ｃ）には右側面板金部材９０１の上面図を示す。
【００８４】
右側面板金部材９０１の後ろ側上面部９０３に形成された曲げ部９０６の角度は、図のように光軸に対して約６５度の角度１１０７を成している。また、曲げ部９０６を上面視した際、曲げ部９０６に対向する下面部９０４側に引っかけスリット９０７を設けている。
【００８５】
図１１（ｄ）はカード基板１１０１取り付け状態の斜視図を示す。
【００８６】
図１１（ｅ）はカード基板１１０１の取り付けを行う途上の斜視図を示す。
【００８７】
図１１（ｆ）はカード基板１１０１取り付け状態の上面図を示す。
【００８８】
右側面板金部材９０１に設けられた前記の曲げ部９０６及びスリット９０７、左側面板金部材のスリット９１４には、外部メモリカード２０８が接続されるメモリカードスロット１１０２が図のように実装されたカード基板１１０１が接続される。図１１（ｅ）に示す通り、カード基板１１０１に設けられた差し込み部１１０７を、スリット９０７とスリット９１４に挿通してから、曲げ部９０６にカード基板１１０１を押しあてて図示しないビスによって締結する。
【００８９】
曲げ部９０６及び２か所のスリット９０７、９１４が撮像レンズ鏡筒１０９の光軸に対して傾いているため、カード基板１１０２は光軸に対して傾いて取り付けられる。その角度は後述の通り約６５度になる。
【００９０】
右側面板金部材９０１及び左側面板金部材９０９は前述の通り、それぞれが略コの字及び逆コの字状の形状を有しており、その二つが組み合わさることによってロの字型の構造を成している。そのため、ロの字が平行四辺形状に変形することに対して弱いという問題がある。しかし、カード基板１１０２を斜めに取り付けることによって、筋交いとして補強の役割を担うことができる。また、カード基板１１０１の角度である６５度は、光軸方向から見たカード基板１１０１の投影面積が、撮像レンズ鏡筒１０９の投影面積にほぼ収まるように決定されるている。つまり図１１（ｆ）に示す、右側面板金部材９０１と左側面板金部材９０９によってできた撮像レンズ収納幅１１０３が、カード基板１１０１の光軸方向に占有する幅１１０４と略等しい構成になっている。所定角度はそのように構成することによってデジタルビデオカメラ１０１本体の左右方向の幅を撮像レンズ鏡筒１０９の幅で決定される要素以上に大型化することなく小型な筺体を実現することができる。また、カード基板１１０１の上下高さは、カード基板１１０１の左右幅１１０４よりも短く、撮像レンズ鏡筒１０９の上下高さに充分収まるように構成されている。
【００９１】
また、カード基板１１０１のメモリカードスロット１１０２実装面の反対面には、デジタルビデオカメラのＲＡＭに書き込まれた情報を外部電源が接続されていない状態でも保持可能にするためのバックアップ用蓄電池１１０５が実装されている。
【００９２】
図１２（ａ）には右側面板金部材９０１と左側面板金部材９０９とカメラユニットとを接続した状態の上面側斜視図を示す。
【００９３】
図１２（ｂ）には右側面板金部材９０１と左側面板金部材９０９とカメラユニットとを接続した状態の下面側斜視図を示す。
【００９４】
撮像レンズ鏡筒１０９にはレンズ受け弾性部材１００１の内径と嵌合する軸部１２０２が形成されており、右側面板金部材９０１及び左側面板金部材９０９に取り付けられたレンズ受け弾性部材１００１に挿通される。
【００９５】
右側面板金部材９０１及び左側面板金部材９０９は上面及び下面で図のように締結されている。上面側では右側面板金部材９０１の後ろ側上面部９０３と左側面板金部材９０９の後ろ側上面部９１１が引っかけ爪によって引っかけ接続され、右側面板金部材９０１の前側上面部９０４と左側面板金部材９０９の前側上面部９１２が引っかけ爪によって引っかけ接続されている。下面側は、右側面板金部材９０１の下面部９０５と左側面板金部材９０９の下面部９１３がビス１２０１によって締結されている。
【００９６】
右側面板金部材９０１及び左側面板金部材９０９とカメラユニットはレンズ受け弾性部材１００１を介してのみ接続されることで、弾性的な接続状態をなしている。
【００９７】
このように接続することによって、右側面板金部材９０１と左側面板金部材９０９に接続された後述の外装部品などのストレスを撮像レンズ鏡筒１０９及びカメラユニットに伝えにくくすることができるとともに、撮像レンズ鏡筒１０９の発する振動や騒音を外装部品に伝えることを低減することが可能である。
【００９８】
図１３（ａ）にはメイン基板２０４、三脚ねじ部材１３０１、三脚ねじ補強板金部材１３０２の展開斜視図を示す。
【００９９】
図１３（ｂ）（ｃ）にはメイン基板２０４、三脚ねじ部材１３０１、三脚ねじ補強板金部材１３０２のユニット状態斜視図を示す。
【０１００】
右側面板金部材９０１と左側面板金部材９０９の下面側にはメイン基板２０４が配置される。メイン基板２０４は図１３（ａ）（ｂ）に示すように三脚ねじ部材１３０１に対して三脚ねじ補強板金部材１３０２を挟んだ状態でユニット化される。このようにユニット化された状態で右側面板金部材９０１及び左側面板金部材９０９に取り付けられる。メイン基板２０４には前述のセンサー基板２０２とのＢｔｏＢ接続がなされるとともに、撮像レンズ鏡筒１０９の駆動アクチュエータ及び駆動系位置検出手段等を接続するＦＰＣ等が接続されている。
【０１０１】
また、メイン基板２０４の下面側にはＨＤＭＩ１３０３、ＵＳＢ１３０４、電源入力１１２の端子が実装されている。
【０１０２】
三脚ねじ部材１３０１は繊維強化プラスチック等で形成されており、三脚回転止め部１３０５、三脚ねじ部１３０６及び三脚ねじ補強板金部材取り付け部１３０７、端子補強部１３０８を有する。
【０１０３】
三脚ねじ部１３０６は一般的なビデオカメラ用三脚を締結可能なねじを形成し、三脚回転止め部１３０５はビデオカメラ用三脚に一般的に用いられる回転止めが嵌合する凹みである。
【０１０４】
三脚ねじ部１３０６の上面は、三脚を取り付けた際に突き上げる力がかかるため、三脚ねじ補強板金部材１３０７を取り付けて補強する。
【０１０５】
端子補強部１３０８はＨＤＭＩ１３０３、ＵＳＢ１３０４、電源入力１１２それぞれの端子の基板側と反対面を支える構成になっている。三脚ねじ部材１３０６の強度及び非導通性を利用して、各端子に近付けて構成することが可能である。
【０１０６】
図１３（ｄ）には端子基板１３０９及びメモリユニット基板１３１０接続状態斜視図を示す。
【０１０７】
三脚ねじ補強板金部材１３０２には図のように映像音声出力端子１３１１及び外部マイク入力端子１３１２を実装した端子基板１３０９が締結される。また、図のように揮発性メモリＩＣで構成された不図示の内蔵メモリ２０９を実装したメモリユニット基板１３１０も締結されている。
【０１０８】
図１４（ａ）には図１２のユニットに図１３（ｄ）のユニットとカード基板１１０１を接続した図を示す。
【０１０９】
このように、カメラユニットを右側面板金部材９０１と左側面板金部材９０９を接続した状態の下面側にメイン基板２０４が接続される。
【０１１０】
図１４（ｂ）には図１４（ａ）の状態におけるセンサー基板２０２、メイン基板２０４、カード基板１１０１の位置関係を示す斜視図を示す。
【０１１１】
カード基板１１０１の下面側には図に示すような凸形状１４０１が設けられている。この凸形状１４０１の端面には信号線が露出されていないように形成されている。そして、この凸形状１４０１と対向する面に、図のようにセンサー基板２０２のＢｔｏＢ実装部７０１に実装されたＢｔｏＢ７０２とメイン基板２０４の接続部がある。図１４（ｃ）には図１４（ａ）の状態の上面図及びＢｔｏＢ７０２の位置関係を示す図を示す。
【０１１２】
カード基板１１０１とＢｔｏＢ７０２の位置関係は図に示す通り、ＢｔｏＢ７０２の略対角線上にカード基板１１０１の凸形状１４０１が配置されている。このように配置することによって、ＢｔｏＢ７０２がその短辺および長辺を軸に回転して接続不良が起きることを防止することができる。また前記凸形状１４０１とＢｔｏＢ７０２が実装されたセンサー基板２０２のＢｔｏＢ実装部７０１の距離は、ＢｔｏＢ７０２の係合量を上回らないように配置することで、ＢｔｏＢ７０２の接続が離間されることを防止することができる。
【０１１３】
図１４（ｄ）には図１４（ａ）の状態におけるカメラユニットとカード基板１１０１、メイン基板２０４の位置関係を示す上面図を示す。
【０１１４】
図のようにセンサー放熱板７０３の主面７０４及びカード基板１１０１によって出来た三角形のスペース１４０２（図の点線部）にセンサー放熱板７０３の右側面腕部７０５を配置している。右側面腕部７０５はヘミング加工によって２重にすることで、三角形のスペース１４０２を放熱スペースとして利用している。また、三角形のスペース１４０２とカード基板１１０１を挟んで反対側のスペースには、バックアップ用蓄電池１１０５が配されることで、スペースを有効活用している。
【０１１５】
図１４（ｅ）に図１４（ａ）の状態に、操作部ユニット１４０３を接続した状態の斜視図を示す。
【０１１６】
デジタルビデオカメラ１０１の操作部２１０として、ズーム操作部１４０４を及び電源投入指示操作部１４０５及び録画スタートストップ操作部１４０６がユニット化された操作部ユニット１４０３を備える。ズーム操作部１４０４は一般的なビデオカメラに用いられるズーム操作部で、操作部をスライド操作することによって被写体の拡大及び縮小を行う。電源投入指示操作部１４０５は一般的なプッシュスイッチで、押し圧動作に応じてデジタルビデオカメラ１０１の電源をＯＮ／ＯＦＦする。録画スタートストップ操作部１４０６も一般的なビデオカメラに用いられる録画スタートストップ操作部で、押し圧動作に応じて録画の開始・停止を行う。操作部ユニット１４０３は図のように右側面板金部材９０１と左側面板金部材９０９が上面で締結された箇所で、カード基板１１０１の上面に取り付けられる。操作部ユニット１４０３とメイン基板２０４の接続はＦＰＣ１４０７でなされ、このＦＰＣ１４０７が分岐してカード基板上のコネクタ１４０８に接続され、カード基板１１０１とメイン基板２０４の接続も兼ねている。
【０１１７】
図１５（ａ）には図１４（ｅ）の状態に右側面カバー１０４及び表示部１０３を接続した状態の斜視図を示す。
【０１１８】
右側面カバー１０４は本体右側面を主たる面とするカバー部材で、製品前方では表示部との接続、製品後方ではバッテリ取り付けの役割を担っている。また、底面側にも外観部が伸びることによって、右側面・後面・底面の３面が一体となり、高剛性なカバーとなっている。
【０１１９】
図１５（ｂ）にはデジタルビデオカメラ１０１の底面視図のバッテリ周辺部を示す。
【０１２０】
バッテリ２１３は右側面カバー１０４の後面側に設けられたバッテリ取り付け部１０８に取り付けられる。バッテリ取り付け部１０８を底面視した時、バッテリ取り付け部１０８の最大左右幅１５０１と取り付けレール幅１５０２は図に示す関係で、最大左右幅１５０１の中心１５０３よりも取り付けレール幅１５０２の中心１５０４が左側面側に近く構成されている。この構成は後述するバッテリ１０８の特徴に起因するものである。
【０１２１】
図１５（ｃ）には図１５（ａ）の状態の後面視図を示す。
【０１２２】
図１５（ｂ）で説明した寸法関係を、後面視で説明すると図１５（ｃ）で示すようになっている。
【０１２３】
次に本実施例のデジタルビデオカメラ１０１に取り付けられるバッテリ２１３について説明する。
【０１２４】
図１６（ａ）にバッテリ２１３の斜視図を示す。
【０１２５】
図１６（ｂ）にバッテリ２１３の取り付け部の後面視図を示す。
【０１２６】
図１６（ｃ）に図１６（ｂ）のＣ−Ｃ断面図を示す。
【０１２７】
バッテリ２１３はリチウムイオン電池のセル１６０１、回路基板１６０２及びコネクタ１６０３を、取り付け部カバー１６０４及び外観カバー１６０５で挟んで構成されている。
【０１２８】
取り付け部カバー１６０４に設けられた取り付け部の左右幅１６０６及び取り付け部カバー全体の幅かつ外観カバーの左右幅１６０７は図１６（ｂ）に示す通りである。そして、取り付け部の左右幅１６０６の中心１６０８は、取り付けカバー全体の幅かつ外観カバーの左右幅１６０７の中心１６０９と一致せず、取り付け部の左右幅１６０６の中心１６０７の方が取り付け面から見た時の左側に偏っている。つまり、前述の右側面カバー１０４に設けられた取り付け部カバー１０８の最大左右幅１５０１の中心１５０３よりも取り付けレール幅１５０２の中心１５０４が左側面側に近く構成されているのは、このバッテリ２１３の取り付け部の左右幅１６０６の中心１６０７の方が取り付け面から見た時の左側に偏っていることに起因している。図１６（ｃ）の断面図にも示す通り、バッテリ２１３の内部においても、セル１６０１の中心１６１６に対して、紙面左側に回路基板１６０２の中心１６１７が偏って構成されている。そして、セル１６０１と回路基板１６０２の偏りは左右方向だけではなく、図１６（ｂ）に示す通り上下方向にも偏りをもって構成されている。つまり取り付け部の上下高さ１６１０は、取り付け部カバー全体の上下高さかつ外観カバーの上下高さ１６１１よりも上面側に偏っており、段差１６１２を生じるように構成されている。
【０１２９】
図１６（ｄ）（ｅ）に、本実施例のデジタルビデオカメラ１０１よりもバッテリ取り付け部の小さいデジタルビデオカメラ１６１３にバッテリ２１３を取り付けた際の模式図を示す。
【０１３０】
図１６（ｄ）は上面から見た断面模式図、図１６（ｅ）は右側面から見た模式図である。
【０１３１】
デジタルビデオカメラ１６１３はデジタルビデオカメラ１０１と同様に、開閉可能な表示部１６１５及び本体部１６１４からなり、デジタルビデオカメラ１６１３のバッテリ取り付け部１６１６の左右幅は、バッテリ２１３の取り付け部の左右幅１６０６と略同じ幅からなる。このような構成のデジタルビデオカメラ１６１３にバッテリ２１３を取り付けると、図のように表示部１６１５は閉じ切らないものの、取り付けて使用することは可能である。また、デジタルビデオカメラ１６１３のバッテリ取り付け部１６１６の上下高さは、バッテリ２１３の取り付け部の上下高さ１６１０と略同じ高さからなる。このような構成のデジタルビデオカメラ１６１３にバッテリ２１３を取り付けると、図のように底面から段差１６１２が飛び出すものの、取り付けて使用することは可能である。
【０１３２】
次にメモリカード取り出し部１１０周辺について説明する。
【０１３３】
図１７（ａ）に図１５（ａ）の状態の右側面視図を示す。
【０１３４】
図１７（ｂ）に図１７（ａ）のＤ−Ｄ断面図を示す。
【０１３５】
前述の通り、右側面カバー１０４にはメモリカード取り出し部１１０をもつ。前述の通り、内部でカード基板１１０１が斜めに傾いているため、取り出し口も斜めに傾いている。メモリカードの取り出し方向は図１７（ｂ）のように製品後方側に向けて出るように構成されている。このように構成することによって、表示部１０３を開けた状態であれば、メモリカード１７０２の取り出し方向の延長線上で表示部１０３と干渉することが無い。メモリカード取り出し部１１０はバッテリ取り出し部１０８近傍になるように、バッテリ取り付け部１０８の製品前後方向での位置が決まっている。
【０１３６】
また、バッテリ取り付け部１０８が前述のように左側面側に偏っているため、メモリーカード１７０２取り出し時に、取り出す指１７０３が入るスペース１７０４（図の点線囲み部）を設けることが可能である。
【０１３７】
図１７（ｃ）に図１７（ａ）の状態で表示部１０３を閉じた状態での上面視での断面図を示す。
【０１３８】
図１７（ｄ）に図１７（ａ）の状態で表示部１０３を除いた状態の外観斜視図を示す。
【０１３９】
前述したように右側面カバー１０４には表示部１０３がヒンジ部１１４を介して接続されている。このヒンジ部１１４の開閉軸１１５を中心としたヒンジカバー１１８の回転軌跡１７０５は、前玉固定鏡筒の切り欠き部４０７に配置されている。
【０１４０】
このように構成することによって、表示部１０３を撮像レンズ鏡筒１０９の光軸中心と近付けることが可能である。デジタルビデオカメラは光軸中心と表示部の距離を近付けるほど小型に見えるという特徴があるため、このように構成することによって小型のデジタルビデオカメラを実現することが可能である。
【０１４１】
また、回転軸１１６を光軸１１３よりも下側に配置することで、表示部１０３とメイン基板２０４を接続するＦＰＣ１７０６を撮像レンズ鏡筒１０９の下側に通すことが可能となり、表示部１０３と撮像レンズ鏡筒１０９の間のスペースを通すよりも、表示部１０３を光軸１１３に近付けることが可能となる。
【０１４２】
図１８に図１５（ａ）の状態に前面カバー１０６を取り付けた状態を示す。
【０１４３】
前面カバー１０６は撮像レンズ鏡筒１０９の開口部と音声収録用の内蔵マイクを有する。
【０１４４】
図１９（ａ）は全てのカバーを取り付けた状態の左側面図を示す。
【０１４５】
図１９（ｂ）は図１９（ａ）から左側面カバー１０７を外した状態の斜視図を示す。
【０１４６】
左側面カバー１０７は使用者が右手で把持する側であり、取り付けビスなどを表出させても外観の美観を損ないにくいことから、最終組つけのカバーとして使用されることが多い。
【０１４７】
そして、最終で組つけるカバーであるということは、完成品から分解する際に最初に取り外しが可能なカバーでもある。
【０１４８】
前述の通り、カード基板１１０１には蓄電池１１０５が実装されている。この蓄電池１１０５にはリチウムイオン電池が用いられることが一般的で、デジタルビデオカメラ１０１の廃棄時に本体から取り出して廃棄することが国の規制で要求されている国がある。そのため、廃棄時にデジタルビデオカメラ１０１の使用者が容易に取り出しを行う必要性がある。図のように、左側面カバー１０７を取り外した際に、カード基板１１０１が斜めに傾いているため、カード基板１１０１に実装された蓄電池１１０５が視認しやすいレイアウトになっている。そのため、デジタルビデオカメラ１０１の使用者が蓄電池１１０５の取り出しを行う際に、左側面カバー１０７のみを外し、ラジオペンチなどの工具１９０１を挿しこんで蓄電池１１０５をつかんで引き出すことができる。
【符号の説明】
【０１４９】
１０１  デジタルビデオカメラ
１０２  本体部
１０３  表示部
１０４  右側面カバー
１０５  上面カバー
１０６  前面カバー
１０７  左側面カバー
１０８  バッテリ取り付け部
１０９  撮像レンズ鏡筒
１１０  メモリーカード取り出し口
１１１  外部入出力端子開口部
１１２  電源入力端子
１１３  光軸
１１４  ヒンジ部
１１５  開閉軸
１１６  回転軸
１１７  表示部取り付け板金部材
１１８  ヒンジカバー
２０１  撮像素子
２０２  センサー基板
２０３  ＡＤ変換素子
２０４  メイン基板
２０５  カメラ信号処理ＩＣ
２０６  ビデオ信号処理ＩＣ
２０７  記録部
２０８  外部メモリーカード
２０９  内蔵メモリーカード
２１０  操作部
２１１  外部入出力端子
２１２  電源入力端子
２１３  バッテリ
３０１  前玉固定鏡筒
３０２  第２鏡筒
３０３  第３鏡筒
４０１  前玉
４０２  バリエータ
４０３  防振部
４０４  アフォーカル
４０５  絞りユニット
４０６  センサー貼り付け板
４０７  切り欠き
４０８  遮光形状
４０９  赤外吸収ガラス
４１０  赤外吸収ガラス収納部
４１１  撮像素子収納部
４１２  センサー貼り付け板取り付け部
５０１  保護ガラス
５０２  ベース部材
５０３  リード
５０４  チップ
５０５  貼り付け面
５０６  センサー貼り付け面
５０７  ビス穴当接面
５０８  接着剤塗布穴
５０９  変形防止穴
５１０  段差接続部
５１１  位置決め穴
５１２  回転止め穴
５１３  ビス穴
５１４  段差接続部に近い側
５１５  段差接続部から遠い側
６０１  位置決めボス
６０２  回転止めボス
６０３  ビス
６０４  センサー貼り付け板当接面
６０５  ビス穴面
６０６  隙間
６０８  距離
６０９  距離
７０１  ＢｔｏＢ実装部
７０２  ＢｔｏＢ
７０３  センサー放熱板
７０４  主面
７０５  放熱腕部
７０６  放熱腕部
７０７  弾性導電放熱部材
７０８  絞り部
８０１  プラスチックシート
８０２  金属箔
８０３  両面テープ
８０４  弾性部材
８０５  構造部材
８０６  接続部
９０１  右側面板金部材
９０２  主たる面
９０３  上面部
９０４  上面部
９０５  下面部
９０６  曲げ部
９０７  スリット
９０８  穴部
９０９  左側面板金部材
９１０  主たる面
９１１  上面部
９１２  上面部
９１３  下面部
９１４  スリット
９１５  穴部
１００１  レンズ受け弾性部材
１００２  円柱
１００３  円柱
１００４  円柱
１００５  穴
１００６  端部
１１０１  カード基板
１１０２  メモリカードスロット
１１０３  撮像レンズ収納幅
１１０４  幅
１１０５  バックアップ用蓄電池
１１０６  カード基板の幅
１１０７  差し込み部
１２０１  ビス
１２０２  軸部
１３０１  三脚ねじ部材
１３０２  三脚ねじ補強板金部材
１３０３  ＨＤＭＩ
１３０４  ＵＳＢ
１３０５  三脚回転止め部
１３０６  三脚ねじ部
１３０７  三脚ねじ補強板金部材取り付け部
１３０８  端子補強部
１３０９  端子基板
１３１０  メモリユニット基板
１３１１  映像音声出力端子
１３１２  外部マイク入力端子
１４０１  凸形状
１４０２  三角形のスペース
１４０３  操作部ユニット
１４０４  ズーム操作部
１４０５  電源投入指示操作部
１４０６  録画スタートストップ操作部
１４０７  ＦＰＣ
１４０８  コネクタ
１５０１  最大左右幅
１５０２  レール幅
１５０３  中心
１５０４  中心
１６０１  セル
１６０２  回路基板
１６０３  コネクタ
１６０４  取り付け部カバー
１６０５  外観カバー
１６０６  取り付け部の左右幅
１６０７  外観カバーの左右幅
１６０８  中心
１６０９  中心
１６１０  上下高さ
１６１１  上下高さ
１６１２  段差
１６１３  デジタルビデオカメラ
１６１４  本体部
１６１５  表示部
１７０１  断面線
１７０２  メモリカード
１７０３  取り出す指
１７０４  スペース
１７０５  ヒンジカバーの回転軌跡
１７０６  ＦＰＣ
１９０１  工具
【図１（ａ）】
2013106180.tif 000003
【図１（ｂ）】
2013106180.tif 000004
【図１（ｃ）】
2013106180.tif 000005
【図１（ｄ）】
2013106180.tif 000006
【図１（ｅ）】
2013106180.tif 000007
【図２】
2013106180.tif 000008
【図３】
2013106180.tif 000009
【図４】
2013106180.tif 000010
【図５】
2013106180.tif 000011
【図６】
2013106180.tif 000012
【図７】
2013106180.tif 000013
【図８】
2013106180.tif 000014
【図９】
2013106180.tif 000015
【図１０】
2013106180.tif 000016
【図１１】
2013106180.tif 000017
【図１２】
2013106180.tif 000018
【図１３】
2013106180.tif 000019
【図１４】
2013106180.tif 000020
【図１５】
2013106180.tif 000021
【図１６】
2013106180.tif 000022
【図１７】
2013106180.tif 000023
【図１８】
2013106180.tif 000024
【図１９】
2013106180.tif 000025